(57)【要約】【課題】本発明は、各羽根板の段部にテーパ面を有する分離リングを設け、ラジアルファンの吸い込み開口全体からエアの吸い込みを均一とし、庫内のエアの流れを均一とすることを目的とする。【解決手段】本発明によるラジアルファンは、リング円板(6)と支持円板(1)によって保持された各羽根板(4)の段部(4d)に設けられた分離リング(21)と、前記分離リング(21)に形成されたテーパ面(20)と、を備え、前記リング円板(6)の吸い込み開口(6a)全体からのエア(25)の吸い込みを均一とする構成である。【選択図】図１
2009097448.tif 000002
【特許請求の範囲】
【請求項１】
ボス(3)を軸中心に有する支持円板(1)と、前記支持円板(1)の周縁(1a)に所定角度間隔で植設された多数の羽根板(4)と、前記各羽根板(4)の内端(4c)に形成された段部(4d)と、前記各段部(4d)に設けられテーパ面(20)を有する分離リング(21)と、前記各羽根板(4)の先端(4a)に接続されたリング円板(6)と、を備え、
前記分離リング(21)の外周端(21a)は前記羽根板(4)の外端面(4b)より内側に位置し、前記テーパ面(20)は前記リング円板(6)側から前記支持円板(1)側へ向けて拡開するように形成されていることを特徴とするラジアルファン。
【請求項２】
前記テーパ面(20)は断面円弧状よりなることを特徴とする請求項１記載のラジアルファン。
【請求項３】
前記テーパ面(20)は断面直線状よりなることを特徴とする請求項１記載のラジアルファン。
【請求項４】
前記段部(4d)はＶ字状よりなり、前記分離リング(21)の外周端(21a)に所定角度間隔で形成された多数の切込み部(22)が前記各羽根板(4)に係合していることを特徴とする請求項１ないし３の何れかに記載のラジアルファン。
【請求項５】
前記各羽根板(4)の前記段部(4d)より前記支持円板(1)側に位置する内端(4c)の内端面方向(B)は、前記外端面(4b)の外端面方向(A)と平行であることを特徴とする請求項１ないし４の何れかに記載のラジアルファン。
【請求項６】
前記各羽根板(4)の前記段部(4d)より前記支持円板(1)側に位置する内端(4c)の内端面方向(B)は、前記ボス(3)側へ向けかつ前記支持円板(1)の内側へ向けて傾斜していることを特徴とする請求項１ないし４の何れかに記載のラジアルファン。
【発明の詳細な説明】
【技術分野】
【０００１】
本発明は、ラジアルファンに関し、特に、支持円板上に植設された各羽根板の内面に形成された各段部を介して分離リングを取付け、ラジアルファン中心部からもエアを吸い込むことにより、ラジアルファンを取付けた庫内のエアの流れを均一とするための新規な改良に関する。
【背景技術】
【０００２】
従来、用いられていたこの種のラジアルファンとしては、図１０に示す一般に採用されている構成及び特許文献１に示される構成を挙げることができる。
すなわち、図１０において符号１で示されるものは支持円板であり、この支持円板１の軸中心に形成された孔２にはボス３が取付けられている。
【０００３】
前記支持円板１の周縁１ａには、所定角度間隔で多数の羽根板４がリベット５により植立して設けられ、各羽根板４の先端４ａには、一枚のリング円板６が設けられ、各羽根板４の先端４ａはリベット７により前記リング円板６に接続されている。
【０００４】
従って、図１０の従来構成においては、前記各羽根板４が前記支持円板１及びリング円板６によって一体型となり、前記ボス３の軸孔３ａに、図示しないモータの回転軸を接続することにより、ラジアルファン１０が回転し、例えば、調理機器の庫内のエアが点線で示されるように、前記リング円板６の吸い込み開口６ａから吸い込まれて各羽根板４の間の隙間（図示せず）から吐出される。
【０００５】
また、特許文献１の調理室の循環ラジアルファン用のファンロータにおいては、図示していないが、各羽根板４を介してノズルを有する案内板を設けて油脂粒子の排出を行っている。
【０００６】
【特許文献１】特開平６−２９９９９２号公報
【発明の開示】
【発明が解決しようとする課題】
【０００７】
従来のラジアルファンは、以上のように構成されていたため、次のような課題が存在していた。
すなわち、図９で示す従来構成においては、支持円板とリング円板との間には羽根板のみが設けられていたため、ラジアルファンを回転させた場合のエアの流れは図１０の点線で示す経路が最も強くなり、リング円板６の中心部分の吸い込み力は点線の位置よりも弱く、調理機器の庫内のエアの流れが不均一となり、例えば、多段状のラックに載せられた食品を加熱する場合、各段毎に加熱ムラを発生することがあった。
【０００８】
また、特許文献１の構成においては、各羽根板を介して設けられた案内板にノズルが形成されているため、油脂粒子の除去には効果的であるが、前述のエアの吸い込み力を均一として庫内のエアの流れを均一化させることには、効果を上げることは不可能であった。
【課題を解決するための手段】
【０００９】
本発明によるラジアルファンは、ボスを軸中心に有する支持円板と、前記支持円板の周縁に所定角度間隔で植設された多数の羽根板と、前記各羽根板の内端に形成された段部と、前記各段部に設けられテーパ面を有する分離リングと、前記各羽根板の先端に接続されたリング円板と、を備え、前記分離リングの外周端は前記羽根板の外端面より内側に位置し、前記テーパ面は前記リング円板側から前記支持円板側へ向けて拡開するように形成されている構成であり、また、前記テーパ面は断面円弧状よりなる構成であり、また、前記テーパ面は断面直線状よりなる構成であり、また、前記段部はＶ字状よりなり、前記分離リングの外周端に所定角度間隔で形成された多数の切込み部が前記各羽根板に係合している構成であり、また、前記各羽根板の前記段部より前記支持円板側に位置する内端の内端面方向は、前記外端面の外端面方向と平行である構成であり、また、前記各羽根板の前記段部より前記支持円板側に位置する内端の内端面方向は、前記ボス側へ向けかつ前記支持円板の内側へ向けて傾斜している構成である。
【発明の効果】
【００１０】
本発明によるラジアルファンは、以上のように構成されているため、次のような効果を得ることができる。
すなわち、各羽根板を介して外周にテーパ面を有する分離リングが設けられ、この分離リングが各羽根板の内端側に設けられると共に、テーパ面がリング円板から支持円板側へ向けて拡開するように形成されているため、このテーパ面により、従来、吸い込み力が比較的に弱い状態であったリング円板の吸い込み開口の中心部分の吸い込み力が強くなり、結果的に吸い込み開口全体の吸い込み力にムラがなくなる。
従って、このラジアルファンが取付けられた調理機器の庫内における多段状の各棚に載置された食品に対するエアの吸い込み状態にムラがなくなり、庫内の各食品に対して均一なエアの流れを形成し、結果的に、各食品の加熱を均一に行うことができる。
【発明を実施するための最良の形態】
【００１１】
本発明は、支持円板上に植設された各羽根板の内面に形成された各段部を介して分離リングを取付け、ラジアルファン中心部からもエアを吸い込むことにより、ラジアルファンを取付けた庫内のエアの流れを均一とするようにしたラジアルファンを提供することを目的とする。
【実施例】
【００１２】
以下、図面と共に本発明によるラジアルファンの好適な実施の形態について説明する。
尚、従来例と同一又は同等部分には同一符号を付して説明する。
図１及び図２において符号１で示されるものは支持円板であり、この支持円板１の軸中心に形成された孔２にはボス３が取付けられている。
尚、前記支持円板１は、図１のように中心部分と周縁１ａと別体であるが、一体の一枚板とすることもできる。
【００１３】
前記支持円板１の周縁１ａには、所定角度間隔で多数の羽根板４がリベット５により植立して設けられ、各羽根板４の先端４ａには、一枚のリング円板６が設けられ、各羽根板４の先端４ａはリベット７により前記リング円板６に接続されている。
【００１４】
前記各羽根板４は、図５から図８で示されるように、全体形状が長手板状で、かつ、長手凹状をなしており、その外端面４ｂはラジアルファン１０の軸方向に沿う直線状の外端面方向Ａを有するように形成されている。
【００１５】
前記外端面４ｂに対向する内端４ｃには、Ｖ字型の段部４ｄが形成され、この内端４ｃの直線状の内端面方向Ｂは、前記外端面方向Ａと平行に形成されている。
すなわち、前記内端４ｃは前記段部４ｄより支持円板１側に位置している。
また、前記内端４ｃは、前記外端面方向Ａと平行な内端面方向Ｂを有する羽根形状に限ることなく、図５の点線にて示されるように、前記外端面方向Ａとは非平行で、かつ、前記ボス３側すなわち前記支持円板１の内側へ向けて傾斜した傾斜面方向Ｃを有する形状として、より風量を増加させる構成とすることもできる。
【００１６】
前記各段部４ｄには、テーパ面２０を有する輪状の分離リング２１が係合されており、この分離リング２１の外周端２１ａに所定角度間隔で形成された多数の切り込み部２２が前記各羽根板４に嵌め込み式に係合している。
【００１７】
前記テーパ面２０は、図３で示されるように、断面円弧状となるように形成され、前記ラジアルファン１０で吸い込まれるエア２５の流れに沿った形状で形成されている。
また、前記テーパ面２０は、前述の円弧状に限ることなく、断面直線状に傾斜した形状とすることができる。
【００１８】
前記分離リング２１の外周面２１ａは、前記羽根板４の外端面４ｂより内側に位置し、前記テーパ面２０は、前記リング円板６側から前記支持円板１側へ向けて拡開するように、ラッパ状に形成されている。
【００１９】
従って、図１、図２及び図９（斜視図）で示される本発明のラジアルファン１０においては、各羽根板４がリング円板６、分離リング２１及び支持円板１によって一体型となり、ボス３の軸孔３ａに、図示しないモータの回転軸を接続して駆動することにより、ラジアルファン１０の各羽根板４が回転し、例えば、調理機器の庫内のエア２５は、図１の点線で示されるように、前記リング円板６の吸い込み開口６ａの周縁及び中央部の全体にわたり吸い込まれ、前記分離リング２１の外側及び内側を経て各羽根板４の外周側へ吐出される。
【図面の簡単な説明】
【００２０】
【図１】本発明によるラジアルファンを示す断面図である。
【図２】図１の平面図である。
【図３】図１の分離リングの拡大断面図である。
【図４】図３の平面図である。
【図５】図１の羽根板の拡大図である。
【図６】図５の底面図である。
【図７】図５の右側面図である。
【図８】図５の平面図である。
【図９】図２の拡大斜視図である。
【図１０】従来のラジアルファンの断面図である。
【符号の説明】
【００２１】
１    支持円板
１ａ    周縁
２    孔
３    ボス
４    羽根板
４ａ    先端
４ｂ    外端面
４ｃ    内端
４ｄ    段部
Ａ    外端面方向
Ｂ    内端面方向
Ｃ    傾斜面方向
６    リング円板
６ａ    吸い込み開口
１０    ラジアルファン
２０    テーパ面
２１    分離リング
２２    切込み部
２１ａ    外周端
２５    エア
【図１】
2009097448.tif 000003
【図２】
2009097448.tif 000004
【図３】
2009097448.tif 000005
【図４】
2009097448.tif 000006
【図５】
2009097448.tif 000007
【図６】
2009097448.tif 000008
【図７】
2009097448.tif 000009
【図８】
2009097448.tif 000010
【図９】
2009097448.tif 000011
【図１０】
2009097448.tif 000012